(57)【特許請求の範囲】
【請求項１】
スプール（Ａ１）、スプール回転軸（Ａ２）、少なくとも１つのスプール偏心軸（Ａ３）、及び、スプールカバー（Ａ４）を有するスプール回転系モジュール（Ａ）を含んで構成されるスプールの回転制動機構であって、
スプール（Ａ１）は、２つのフランジ（Ａ１ａ、Ａ１ｂ）とそれらの谷間に相当する糸巻き部（Ａ１ｃ）を有し、
２つのフランジ（Ａ１ａ、Ａ１ｂ）は、糸巻き部（Ａ１ｃ）で巻き取った糸（Ｋ）が脱落するのを防止するための鍔としての機能を有し、
２つのフランジ（Ａ１ａ、Ａ１ｂ）は、それぞれ、半径Ｒの円板形状を有すると共に、スプール偏心軸（Ａ３）を挿通するための少なくとも１つの挿通孔（Ａ１ａｈ、Ａ１ｂｈ）を有し、
挿通孔（Ａ１ａｈ、Ａ１ｂｈ）は、スプールの回転中心（Ｃ）から距離Ｒ’の位置にあり、
挿通孔（Ａ１ａｈ、Ａ１ｂｈ）は、スプール偏心軸（Ａ３）が出入りするための孔であり、
糸巻き部（Ａ１ｃ）は、糸（Ｋ）の最大巻き取り半径として、スプールの回転中心（Ｃ）から半径ｒで巻き取る機能を有し、
糸（Ｋ）は、引張方向（Ｄ）から張力（Ｔ）で引っ張られ、
スプール回転軸（Ａ２）は、回転中心においてスプール（Ａ１）を回転させるための軸としての機能を有し、
スプール偏心軸（Ａ３）は、挿通孔（Ａ１ａｈ、Ａ１ｂｈ）において、糸巻き部（Ａ１ｃ）を跨ぐように挿通することが自在であり、
スプール偏心軸（Ａ３）の２つの状態がある動作モードについては、
制動ＯＦＦ状態である糸繰り出しモード（Ｍ１）では、挿通孔（Ａ１ｂｈ）から、スプール偏心軸（Ａ３）を抜き、糸巻き部（Ａ１ｃ）から抜き去った状態にあり、
制動ＯＮ状態である瞬間停止モード（Ｍ２）では、挿通孔（Ａ１ａｈ、Ａ１ｂｈ）に、スプール偏心軸（Ａ３）を挿入して、糸巻き部（Ａ１ｃ）を跨ぐようにブリッジさせた状態にあり、
スプール偏心軸（Ａ３）の極座標における位置は、
距離Ｒ’と偏角θで表され、
距離Ｒ’は、回転中心（Ｃ）からの挿通孔（Ａ１ａｈ、Ａ１ｂｈ）までの距離であり、
偏角θは、スプールの中心（Ｃ）を通る引張方向（Ｄ）の平行線を実軸としたときに、
スプールの中心（Ｃ）と挿通孔（Ａ１ａｈ、Ａ１ｂｈ）を結ぶ直線と実軸がなす角度であり、
距離Ｒ’は、数式（１）を満足する値であって、
スプールの回転制動機構の全体の機能としては、
スプール（Ａ１）の糸（Ｋ）を繰り出している場合において、スプール（Ａ１）の回転を瞬間制動しようとするときには、
スプール偏心軸（Ａ３）を、挿通孔（Ａ１ａｈ、Ａ１ｂｈ）に挿通することにより、
スプール偏心軸（Ａ３）に糸（Ｋ）を引っ掛けて、
スプール偏心軸（Ａ３）について繰り出し回転方向に働く張力（Ｔ）に起因する回転力（Ｒ）に対して、
繰り出し回転方向と逆方向に働く逆回転力（Ｆ）を働かせることにより
偏角θ＝０°の位置においてスプールの回転を即時停止せしめる機能を発揮し、
スプール（Ａ１）の回転の瞬間制動を解除しようとするときには、
挿通孔（Ａ１ａｈ、Ａ１ｂｈ）に挿通していたスプール偏心軸（Ａ３）を、挿通孔（Ａ１ａｈ、Ａ１ｂｈ）から抜き取って、糸巻き部（Ａ１ｃ）から抜き去ることにより、
糸（Ｋ）の引っ掛りをなくすと共に、
スプール偏心軸（Ａ３）に逆回転力（Ｆ）が働かないようにすることにより、
スプールの回転制動を解除せしめる機能を発揮することを特徴とする
スプール（Ａ１）の回転制動機構。
【数１】
0004753127.tif 000007
【請求項２】
請求項１に記載したスプール（Ａ１）の回転制動機構を設けることにより、棚取りの調整を自在とした釣り用スプール。
【請求項３】
スプール（Ａ１）、スプール回転軸（Ａ２）、少なくとも１つのスプール偏心軸（Ａ３）、及び、スプールカバー（Ａ４）を有するスプール回転系モジュール（Ａ）を含んで構成されるスプールの回転制動機構であって、
スプール（Ａ１）は、２つのフランジ（Ａ１ａ、Ａ１ｂ）とそれらの谷間に相当する糸巻き部（Ａ１ｃ）を有し、
２つのフランジ（Ａ１ａ、Ａ１ｂ）は、糸巻き部（Ａ１ｃ）で巻き取った糸（Ｋ）が脱落するのを防止するための鍔としての機能を有し、
２つのフランジ（Ａ１ａ、Ａ１ｂ）は、それぞれ、半径Ｒの円板形状を有すると共に、スプール偏心軸（Ａ３）を挿通するための少なくとも１つの挿通孔（Ａ１ａｈ、Ａ１ｂｈ）を有し、
挿通孔（Ａ１ａｈ、Ａ１ｂｈ）は、スプールの回転中心（Ｃ）から距離Ｒ’の位置にあり、
挿通孔（Ａ１ａｈ、Ａ１ｂｈ）は、スプール偏心軸（Ａ３）が出入りするための孔であり、
糸巻き部（Ａ１ｃ）は、糸（Ｋ）の最大巻き取り半径として、スプールの回転中心（Ｃ）から半径ｒで巻き取る機能を有し、
糸（Ｋ）は、引張方向（Ｄ）から張力（Ｔ）で引っ張られ、
スプール回転軸（Ａ２）は、回転中心においてスプール（Ａ１）を回転させるための軸としての機能を有し、
スプール偏心軸（Ａ３）は、挿通孔（Ａ１ａｈ、Ａ１ｂｈ）において、糸巻き部（Ａ１ｃ）を跨ぐように挿通することが自在であり、
スプール偏心軸（Ａ３）の２つの状態がある動作モードについては、
制動ＯＦＦ状態である糸繰り出しモード（Ｍ１）では、挿通孔（Ａ１ｂｈ）から、スプール偏心軸（Ａ３）を抜き、糸巻き部（Ａ１ｃ）から抜き去った状態にあり、
制動ＯＮ状態である瞬間停止モード（Ｍ２）では、挿通孔（Ａ１ａｈ、Ａ１ｂｈ）に、スプール偏心軸（Ａ３）を挿入して、糸巻き部（Ａ１ｃ）を跨ぐようにブリッジさせた状態にあり、
スプール偏心軸（Ａ３）の極座標における位置は、
距離Ｒ’と偏角θで表され、
距離Ｒ’は、回転中心（Ｃ）からの挿通孔（Ａ１ａｈ、Ａ１ｂｈ）までの距離であり、
偏角θは、スプールの中心（Ｃ）を通る引張方向（Ｄ）の平行線を実軸としたときに、
スプールの中心（Ｃ）と挿通孔（Ａ１ａｈ、Ａ１ｂｈ）を結ぶ直線と実軸がなす角度であり、
距離Ｒ’は、数式（１）を満足する値であって、
スプールの回転制動機構の全体の機能としては、
スプール（Ａ１）の糸（Ｋ）を繰り出している場合において、スプール（Ａ１）の回転を瞬間制動しようとするときには、
スプール偏心軸（Ａ３）を、挿通孔（Ａ１ａｈ、Ａ１ｂｈ）に挿通することにより、
スプール偏心軸（Ａ３）に糸（Ｋ）を引っ掛けて、
スプール偏心軸（Ａ３）について繰り出し回転方向に働く張力（Ｔ）に起因する回転力（Ｒ）に対して、
繰り出し回転方向と逆方向に働く逆回転力（Ｆ）を働かせることにより
偏角θ＝０°の位置においてスプールの回転を即時停止せしめる機能を発揮し、
スプール（Ａ１）の回転の瞬間制動を解除しようとするときには、
挿通孔（Ａ１ａｈ、Ａ１ｂｈ）に挿通していたスプール偏心軸（Ａ３）を、挿通孔（Ａ１ａｈ、Ａ１ｂｈ）から抜き取って、糸巻き部（Ａ１ｃ）から抜き去ることにより、
糸（Ｋ）の引っ掛りをなくすと共に、
スプール偏心軸（Ａ３）に逆回転力（Ｆ）が働かないようにすることにより、
スプールの回転制動を解除せしめる機能を発揮することにより
0004753127.tif 000008
棚取りの調整が自在な機能を具備したことを特徴とする釣り用スプール。
【数１】
0004753127.tif 000009
【発明の詳細な説明】
【技術分野】
【０００１】  本出願に係る発明は、釣り用リールに適用可能な釣り用スプールの回転制動機構、及び、釣り用スプール関する。
【背景技術】
【０００２】  従来の技術の釣り用リールは、一般的には、モーターの回転駆動力をスプールに伝達するための動力伝達機構において、ギアにより駆動力伝達軸からスプール本体に動力を伝達する機構が採用されている。
従来の技術において、動力伝達機構として、駆動ローラーを採用せずに、ギアを採用しているのは、駆動ローラーを使用すると、駆動ローラーが水や油を巻き込んでスリップを起こすからであった。【０００３】  然るに、動力伝達機構として駆動ローラーを採用すると、騒音や振動が発生しにくいという利点がある一方において、動力伝達機構としてギアを使用すると、騒音や振動が発生するという問題があった。
このような問題は、静かな釣りを楽しむ釣り人にとっては、自分や近隣の釣り人に対して騒音や振動を及ぼす極めて不愉快なものである。【０００４】  従来の技術の釣り用リールは、モーターの回転駆動力をスプールから遮断してスプールをフリー（自由回転状態）とするための動力遮断機構において、本体に対して可動式の駆動モーターが、駆動位置から遮断位置に移動することにより、駆動力伝達軸からスプール本体に動力を遮断する機構が採用されている。【０００５】  このようなスプールをフリー（自由回転状態）にする際に固定式スプールから移動式駆動モーターを移動して両者を離す技術においては、駆動モーターが移動式であるがために、本体にしっかりと装着されていないため、騒音及び振動が発生すると共に、駆動モーターの寿命も落ちるという問題があった。
このような問題も、静かな釣りを楽しむ釣り人にとっては、自分や近隣の釣り人に対して騒音や振動を及ぼす極めて不愉快なものである。【０００６】一般的には、スプールカバー（Ａ４）及び拡膨部（Ａ１）の存在が無く、糸の巻き取り中や、糸の繰り出し（仕掛けの落下）中に、釣り竿を動かすと、糸が暴れて、糸がスプールから外れてしまい、スプールを取り付けているシャフトやボスなどに絡みつくという問題があった。【０００７】  このような問題は、例えば、ワカサギ等の大きな魚群に当たり、手返しが必要な時間帯に糸が絡み付いてしまうと、釣り人にとってみすみす大漁の機会を逃すことなり、極めて不愉快なものである。【０００８】  従来の技術においては、動力伝達機構において、ギアではなく、駆動ローラー（Ｃ２）を使用する技術もあるけれども、このような従来の技術においては、釣り用リールは、回転駆動力をスプールに伝達する際にスプール本体裏面が押圧面（駆動面）となり、駆動ローラー（Ｃ２）を押圧面（駆動面）に押圧することにより、スプールを駆動していた。【０００９】［特許文献１；特許４３１４５９４号公報］
特許文献１には、駆動ローラーの回転により、スプール（５３）の駆動面をスプール軸（５８）を中心として回転させることにより、スプール（５３）全体を回転させる釣り用電動リールにおいて、スプール（５３）の駆動面をフランジとは別個独立に設けた駆動ディスクの側面に設けることによって、駆動ローラーと駆動面の間に釣り糸が巻き込まれて発生する糸絡みの発生頻度を著しく低減出来る釣り用電動リールが開示されている。
従来の釣り用電動リールでは、スプール本体のフランジ外側面を駆動面として利用していたために、釣り糸と駆動機構（駆動ローラー及び駆動面）の距離が近過ぎ、スプールから外れた釣り糸が、駆動力伝達軸やスプールに巻き付いたり、釣り糸が絡んだりするトラブルが発生しがちであった。
特許文献１に開示されている釣り用電動リールは、このような従来の技術における問題点を解決できる。【００１０】［特許文献２；特許４３９２６２７号公報］
特許文献２には、駆動ローラーの回転により、スプールの被駆動面を、スプール軸を中心として回転させることにより、スプール全体を回転させる釣り用電動リールにおいて、スプールカバー内側に拡膨部Ａ１を設けることにより、スプールからの糸のはみ出しに起因する糸絡み（バックラッシュ）を顕著に低減できる釣り用電動リールが開示されている。  従来の釣り用電動リールでは、スプールがスプールカバーで覆われていないため、スプールからの糸のはみ出しに起因する糸絡み（バックラッシュ）が頻発しがちであった。
特許文献２に開示されている釣り用電動リールは、このような従来の技術における問題点を解決できる。
【先行技術文献】
【特許文献】
【００１１】
【特許文献１】特許４３１４５９４号公報
【特許文献２】特許４３９２６２７号公報
【００１２】  しかしながら、動力伝達機構に駆動ローラーを使用した釣り用リールの従来の技術においては、以下のような問題があった。【００１３】［従来の技術における問題点〜その１］
従来の技術においては、スプール（Ａ１）がスプールカバー（Ａ４）によって覆われていなかったので、糸（Ｋ）の巻き上げ時、及び／又は、繰り出し時におけるスプール（Ａ１）からの糸（Ｋ）のはみ出しはみ出しに起因する糸絡み（バックラッシュ）が極めて発生し易いという現実は不可避である。
そのため、従来の技術においては、スプール（Ａ１）がスプールカバー（Ａ４）によって覆ったとしても、糸（Ｋ）の巻き上げ時、及び／又は、繰り出し時における、フランジ縁辺部（Ａ１ｇ）とスプールカバー縁辺部（Ａ４ｇ）の隙間からの糸（Ｋ）のはみ出しに起因する糸絡み（バックラッシュ）は、極めて発生し易いという問題がある。【００１４】  本出願に係る発明は、以下の「特許請求の範囲」における各請求項に記載した事項により特定される。
［特許請求の範囲］
［請求項１］
スプール（Ａ１）、スプール回転軸（Ａ２）、少なくとも１つのスプール偏心軸（Ａ３）、及び、スプールカバー（Ａ４）を有するスプール回転系モジュール（Ａ）を含んで構成されるスプールの回転制動機構であって、
スプール（Ａ１）は、２つのフランジ（Ａ１ａ、Ａ１ｂ）とそれらの谷間に相当する糸巻き部（Ａ１ｃ）を有し、
２つのフランジ（Ａ１ａ、Ａ１ｂ）は、糸巻き部（Ａ１ｃ）で巻き取った糸（Ｋ）が脱落するのを防止するための鍔としての機能を有し、
２つのフランジ（Ａ１ａ、Ａ１ｂ）は、それぞれ、半径Ｒの円板形状を有すると共に、スプール偏心軸（Ａ３）を挿通するための少なくとも１つの挿通孔（Ａ１ａｈ、Ａ１ｂｈ）を有し、
挿通孔（Ａ１ａｈ、Ａ１ｂｈ）は、スプールの回転中心（Ｃ）から距離Ｒ’の位置にあり、
挿通孔（Ａ１ａｈ、Ａ１ｂｈ）は、スプール偏心軸（Ａ３）が出入りするための孔であり、
糸巻き部（Ａ１ｃ）は、糸（Ｋ）の最大巻き取り半径として、スプールの回転中心（Ｃ）から半径ｒで巻き取る機能を有し、
糸（Ｋ）は、引張方向（Ｄ）から張力（Ｔ）で引っ張られ、
スプール回転軸（Ａ２）は、回転中心においてスプール（Ａ１）を回転させるための軸としての機能を有し、
スプール偏心軸（Ａ３）は、挿通孔（Ａ１ａｈ、Ａ１ｂｈ）において、糸巻き部（Ａ１ｃ）を跨ぐように挿通することが自在であり、
スプール偏心軸（Ａ３）の２つの状態がある動作モードについては、
制動ＯＦＦ状態である糸繰り出しモード（Ｍ１）では、挿通孔（Ａ１ｂｈ）から、スプール偏心軸（Ａ３）を抜き、糸巻き部（Ａ１ｃ）から抜き去った状態にあり、
制動ＯＮ状態である瞬間停止モード（Ｍ２）では、挿通孔（Ａ１ａｈ、Ａ１ｂｈ）に、スプール偏心軸（Ａ３）を挿入して、糸巻き部（Ａ１ｃ）を跨ぐようにブリッジさせた状態にあり、
スプール偏心軸（Ａ３）の極座標における位置は、
距離Ｒ’と偏角θで表され、
距離Ｒ’は、回転中心（Ｃ）からの挿通孔（Ａ１ａｈ、Ａ１ｂｈ）までの距離であり、
偏角θは、スプールの中心（Ｃ）を通る引張方向（Ｄ）の平行線を実軸としたときに、
スプールの中心（Ｃ）と挿通孔（Ａ１ａｈ、Ａ１ｂｈ）を結ぶ直線と実軸がなす角度であり、
距離Ｒ’は、数式（１）を満足する値であって、
スプールの回転制動機構の全体の機能としては、
スプール（Ａ１）の糸（Ｋ）を繰り出している場合において、スプール（Ａ１）の回転を瞬間制動しようとするときには、
スプール偏心軸（Ａ３）を、挿通孔（Ａ１ａｈ、Ａ１ｂｈ）に挿通することにより、
スプール偏心軸（Ａ３）に糸（Ｋ）を引っ掛けて、
スプール偏心軸（Ａ３）について繰り出し回転方向に働く張力（Ｔ）に起因する回転力（Ｒ）に対して、
繰り出し回転方向と逆方向に働く逆回転力（Ｆ）を働かせることにより
偏角θ＝０°の位置においてスプールの回転を即時停止せしめる機能を発揮し、
スプール（Ａ１）の回転の瞬間制動を解除しようとするときには、
挿通孔（Ａ１ａｈ、Ａ１ｂｈ）に挿通していたスプール偏心軸（Ａ３）を、挿通孔（Ａ１ａｈ、Ａ１ｂｈ）から抜き取って、糸巻き部（Ａ１ｃ）から抜き去ることにより、
糸（Ｋ）の引っ掛りをなくすと共に、
スプール偏心軸（Ａ３）に逆回転力（Ｆ）が働かないようにすることにより、
スプールの回転制動を解除せしめる機能を発揮することを特徴とする
スプール（Ａ１）の回転制動機構。
【数１】
0004753127.tif 000002
［請求項２］
請求項１に記載したスプール（Ａ１）の回転制動機構を設けることにより、棚取りの調整を自在とした釣り用スプール。
［請求項３］
スプール（Ａ１）、スプール回転軸（Ａ２）、少なくとも１つのスプール偏心軸（Ａ３）、及び、スプールカバー（Ａ４）を有するスプール回転系モジュール（Ａ）を含んで構成されるスプールの回転制動機構であって、
スプール（Ａ１）は、２つのフランジ（Ａ１ａ、Ａ１ｂ）とそれらの谷間に相当する糸巻き部（Ａ１ｃ）を有し、
２つのフランジ（Ａ１ａ、Ａ１ｂ）は、糸巻き部（Ａ１ｃ）で巻き取った糸（Ｋ）が脱落するのを防止するための鍔としての機能を有し、
２つのフランジ（Ａ１ａ、Ａ１ｂ）は、それぞれ、半径Ｒの円板形状を有すると共に、スプール偏心軸（Ａ３）を挿通するための少なくとも１つの挿通孔（Ａ１ａｈ、Ａ１ｂｈ）を有し、
挿通孔（Ａ１ａｈ、Ａ１ｂｈ）は、スプールの回転中心（Ｃ）から距離Ｒ’の位置にあり、
挿通孔（Ａ１ａｈ、Ａ１ｂｈ）は、スプール偏心軸（Ａ３）が出入りするための孔であり、
糸巻き部（Ａ１ｃ）は、糸（Ｋ）の最大巻き取り半径として、スプールの回転中心（Ｃ）から半径ｒで巻き取る機能を有し、
糸（Ｋ）は、引張方向（Ｄ）から張力（Ｔ）で引っ張られ、
スプール回転軸（Ａ２）は、回転中心においてスプール（Ａ１）を回転させるための軸としての機能を有し、
スプール偏心軸（Ａ３）は、挿通孔（Ａ１ａｈ、Ａ１ｂｈ）において、糸巻き部（Ａ１ｃ）を跨ぐように挿通することが自在であり、
スプール偏心軸（Ａ３）の２つの状態がある動作モードについては、
制動ＯＦＦ状態である糸繰り出しモード（Ｍ１）では、挿通孔（Ａ１ｂｈ）から、スプール偏心軸（Ａ３）を抜き、糸巻き部（Ａ１ｃ）から抜き去った状態にあり、
制動ＯＮ状態である瞬間停止モード（Ｍ２）では、挿通孔（Ａ１ａｈ、Ａ１ｂｈ）に、スプール偏心軸（Ａ３）を挿入して、糸巻き部（Ａ１ｃ）を跨ぐようにブリッジさせた状態にあり、
スプール偏心軸（Ａ３）の極座標における位置は、
距離Ｒ’と偏角θで表され、
距離Ｒ’は、回転中心（Ｃ）からの挿通孔（Ａ１ａｈ、Ａ１ｂｈ）までの距離であり、
偏角θは、スプールの中心（Ｃ）を通る引張方向（Ｄ）の平行線を実軸としたときに、
スプールの中心（Ｃ）と挿通孔（Ａ１ａｈ、Ａ１ｂｈ）を結ぶ直線と実軸がなす角度であり、
距離Ｒ’は、数式（１）を満足する値であって、
スプールの回転制動機構の全体の機能としては、
スプール（Ａ１）の糸（Ｋ）を繰り出している場合において、スプール（Ａ１）の回転を瞬間制動しようとするときには、
スプール偏心軸（Ａ３）を、挿通孔（Ａ１ａｈ、Ａ１ｂｈ）に挿通することにより、
スプール偏心軸（Ａ３）に糸（Ｋ）を引っ掛けて、
スプール偏心軸（Ａ３）について繰り出し回転方向に働く張力（Ｔ）に起因する回転力（Ｒ）に対して、
繰り出し回転方向と逆方向に働く逆回転力（Ｆ）を働かせることにより
偏角θ＝０°の位置においてスプールの回転を即時停止せしめる機能を発揮し、
スプール（Ａ１）の回転の瞬間制動を解除しようとするときには、
挿通孔（Ａ１ａｈ、Ａ１ｂｈ）に挿通していたスプール偏心軸（Ａ３）を、挿通孔（Ａ１ａｈ、Ａ１ｂｈ）から抜き取って、糸巻き部（Ａ１ｃ）から抜き去ることにより、
糸（Ｋ）の引っ掛りをなくすと共に、
スプール偏心軸（Ａ３）に逆回転力（Ｆ）が働かないようにすることにより、
スプールの回転制動を解除せしめる機能を発揮することにより
制動ＯＦＦ状態である糸繰り出しモード（Ｍ１）と制動ＯＮ状態である瞬間停止モード（Ｍ２）を切り替えて
棚取りの調整が自在な機能を具備したことを特徴とする釣り用スプール。
【数１】
0004753127.tif 000003
【００１５】［従来の技術における問題点〜その３］
従来の技術においては、スプール（Ａ１）が筐体スプールカバー（Ａ４）によって覆われていたとしても、糸（Ｋ）がスプール（Ａ１）が巻き上げ／繰り出しにより筐体内部に巻き込んだ液体（海水、湖水、河川水、魚油、機械油等）を被駆動面（Ａ１ｆ）及び駆動ローラー（Ｃ２）に付着するという現実は不可避である。
そのため、従来の技術においては、スプール（Ａ１）が巻き上げ／繰り出しにより回転した際に遠心力で糸（Ｋ）から弾き飛ばされて来た液体が、スプールカバー（Ａ４）内部にある被駆動面（Ａ１ｆ）及び駆動ローラー（Ｃ２）に付着して、スリップが発生するという問題がある。
スリップを発生させる原因となる液体の具体例としては、例えば、海水、河川水、湖水、結露水、魚釣り用糸コーティング剤、機械油、魚由来油等を挙げることができる。【００１６】［従来の技術における問題点〜その４］
従来の技術においては、本出願に係る発明である釣り用リールにおけるように、スプールカバー（Ａ４）に拡膨部（Ａ１）を設けておくという技術的思想は存在しない。
本発明者らは、多岐に亘る試行錯誤による鋭意検討を進めた結果、拡膨部（Ａ１）の新設が有効であるという技術的思想に到達した。
然るに、拡膨部（Ａ１）の新設については、糸（Ｋ）の巻き上げ時、及び／又は、繰り出し時において、フランジ縁辺部（Ａ１ｇ）とスプールカバー縁辺部（Ａ４ｇ）の隙間からの糸（Ｋ）のはみ出しに起因する糸絡み（バックラッシュ）が発生するという問題に遭遇した。【００１７】［従来の技術における問題点〜その５］
従来の技術においては、本出願に係る発明である釣り用リールにおけるように、被駆動面（Ａ１ｆ）において、被駆動面（Ａ１ｆ）の深さ方向については、被駆動面（Ａ１ｆ）表面から反対側の側面に向けて、被駆動面（Ａ１ｆ）の平面方向については、被駆動面（Ａ１ｆ）表面の円周方向、放射線方向、又は、渦巻き状に孔を複数穿っておくという技術的思想は存在しない。
そのため、従来の技術においては、スプール（Ａ１）が巻き上げ／繰り出しにより回転した際に遠心力で糸（Ｋ）から弾き飛ばされて来た液体が、被駆動面（Ａ１ｆ）及び駆動ローラー（Ｃ２）に付着して、スリップが発生するという問題がある。【００１８】［従来の技術における問題点〜その６］
従来の技術においては、本出願に係る発明である釣り用リールにおけるように、被駆動面（Ａ１ｆ）の平面方向について、放射状及び／又は渦巻き状の溝を複数穿つという発明特定事項を具備せしめるという技術的思想は存在しない。
そのため、従来の技術においては、スプール（Ａ１）が巻き上げ／繰り出しにより回転した際に遠心力で糸（Ｋ）から弾き飛ばされて来た液体が、スプールカバー（Ａ４）内部にある被駆動面（Ａ１ｆ）及び駆動ローラー（Ｃ２）に付着して、スリップが発生するという問題がある。
【発明の概要】
【発明が解決しようとする課題】
【００１９】本願発明は、上記した従来の技術における問題点に鑑み、多くの試行錯誤の過程で多くの鋭意検討を行ないつつ、研究開発を推進した結果、完成に到達した。本願発明が解決しようとする課題を以下に挙げる。【００２０】［発明が解決しようとする課題〜その１］
従来の技術においては、スプール（Ａ１）がスプールカバー（Ａ４）によって覆われていなかったので、糸（Ｋ）の巻き上げ時、及び／又は、繰り出し時におけるスプール（Ａ１）からの糸（Ｋ）のはみ出しはみ出しに起因する糸絡み（バックラッシュ）が極めて発生し易いという現実は不可避である。
発明が解決しようとする課題の一つは、スプール（Ａ１）がスプールカバー（Ａ４）によって覆ったとしても、糸（Ｋ）の巻き上げ時、及び／又は、繰り出し時における、フランジ縁辺部（Ａ１ｇ）とスプールカバー縁辺部（Ａ４ｇ）の隙間からの糸（Ｋ）のはみ出しに起因する糸絡み（バックラッシュ）は、極めて発生し易いという問題を解決することである。【００２１】［発明が解決しようとする課題〜その２］
従来の技術においては、釣り用リールにおいて、糸巻き取りモード（モーター（Ｃ１）の回転をギア機構等により伝えてスプール（Ａ１）を回転させることにより糸（Ｋ）を巻き取るモード）と、糸繰り出しモード（モーター（Ｃ１）の回転をギア機構等により伝えずにスプール（Ａ１）を自由回転状態とすることにより糸（Ｋ）を繰り出すモード）を切り替えるためには、モーター（Ｃ１）とスプール（Ａ１）の相対的な位置又は距離を切り替えることにより、モーター（Ｃ１）からスプール（Ａ１）への駆動伝達を切り替えている。
発明が解決しようとする課題の一つは、スプール回転系モジュール（Ａ）におけるスプール（Ａ１）、及び／又は、動力系モジュール（Ｃ）におけるモーター（Ｃ１）を、筐体（Ｅ５）に対して、可動式の非固定状態とせざるを得ず、動力系モジュール（Ｃ）におけるモーター（Ｃ１）からのスプール回転系モジュール（Ａ）におけるスプール（Ａ１）への駆動伝達機構が複雑で、コスト高となり、故障頻度が高くなり、耐用期間を長くすることができないという問題を解決することである。さらには、使用中に振動・ガタツキ・騒音が発生するという要因を顕著に解消することである。【００２２】［発明が解決しようとする課題〜その３］
従来の技術においては、スプール（Ａ１）が筐体スプールカバー（Ａ４）によって覆われていたとしても、糸（Ｋ）がスプール（Ａ１）が巻き上げ／繰り出しにより筐体内部に巻き込んだ液体（海水、湖水、河川水、魚油、機械油等）を被駆動面（Ａ１ｆ）及び駆動ローラー（Ｃ２）に付着するという現実は不可避である。
発明が解決しようとする課題の一つは、スプール（Ａ１）が巻き上げ／繰り出しにより回転した際に遠心力で糸（Ｋ）から弾き飛ばされて来た液体が、スプールカバー（Ａ４）内部にある被駆動面（Ａ１ｆ）及び駆動ローラー（Ｃ２）に付着して、スリップが発生するという問題を解決することである。
スリップを発生させる原因となる液体の具体例としては、例えば、海水、河川水、湖水、結露水、魚釣り用糸コーティング剤、機械油、魚由来油等を挙げることができる。【００２３】［発明が解決しようとする課題〜その４］
従来の技術においては、本出願に係る発明である釣り用リールにおけるように、拡膨部（Ａ１）を設けておくという技術的思想は存在しない。
本発明者らは、多岐に亘る試行錯誤による鋭意検討を進めた結果、拡膨部（Ａ１）の新設が有効であるという技術的思想に到達した。
発明が解決しようとする課題の一つは、本発明者らが遭遇した、拡膨部（Ａ１）の新設については、糸（Ｋ）の巻き上げ時、及び／又は、繰り出し時において、フランジ縁辺部（Ａ１ｇ）と拡膨部（Ａ１）の隙間からの糸（Ｋ）のはみ出しに起因する糸絡み（バックラッシュ）が発生するという問題を解決することである。
スプール（Ａ１）による糸（Ｋ）の巻き上げや繰り出しの際の糸絡み（バックラッシュ）の要因を顕著に解消することである。【００２４】［発明が解決しようとする課題〜その５］
従来の技術においては、本出願に係る発明である釣り用リールにおけるように、被駆動面（Ａ１ｆ）の深さ方向については、被駆動面（Ａ１ｆ）表面から反対側の側面に向けて、被駆動面（Ａ１ｆ）の平面方向については、被駆動面（Ａ１ｆ）表面の円周方向、放射線方向、又は、渦巻き状に孔を複数穿っておくという技術的思想は存在しない。
発明が解決しようとする課題の一つは、従来の技術における、スプール（Ａ１）が巻き上げ／繰り出しにより回転した際に遠心力で糸（Ｋ）から弾き飛ばされて来た液体が、スプールカバー（Ａ４）内部にある被駆動面（Ａ１ｆ）及び駆動ローラー（Ｃ２）に付着して、被駆動面（Ａ１ｆ）及び駆動ローラー（Ｃ２）との間でスリップが発生するという問題を解決することである。
さらには、モーター（Ｃ１）の駆動軸や、駆動ローラー（Ｃ２）の出力軸（６）から、スプール（Ａ１）への動力伝達を確実にさせ、低振動、静寂性を提供することである。【００２５】［発明が解決しようとする課題〜その６］
従来の技術においては、本出願に係る発明である釣り用リールにおけるように、被駆動面（Ａ１ｆ）において、被駆動面（Ａ１ｆ）の平面方向について、放射状及び／又は渦巻き状の溝を複数穿つという発明特定事項を具備せしめるという技術的思想は存在しない。
発明が解決しようとする課題の一つは、従来の技術における、スプール（Ａ１）が巻き上げ／繰り出しにより回転した際に遠心力で糸（Ｋ）から弾き飛ばされて来た液体が、スプールカバー（Ａ４）内部にある被駆動面（Ａ１ｆ）及び駆動ローラー（Ｃ２）に付着して、被駆動面（Ａ１ｆ）及び駆動ローラー（Ｃ２）との間でスリップが発生するという問題を解決することである。
さらには、モーター（Ｃ１）の駆動軸や、駆動ローラー（Ｃ２）の出力軸（６）から、スプール（Ａ１）への動力伝達を確実にさせ、低振動、静寂性を提供することである。【００２６】［発明が解決しようとする課題〜その７］
発明が解決しようとする課題の一つは、快適な釣りを長期間楽しむための機能とデザインに卓越した魚釣り用リール巻き取り駆動機構、魚釣り用リール巻き取り駆動装置、デザイン等を提供することである。
【課題を解決するための手段】
【００２７】  本出願に係る発明は、以下の「特許請求の範囲」における各請求項に記載した事項により特定される。
［特許請求の範囲］
［請求項１］
スプール（Ａ１）、スプール回転軸（Ａ２）、少なくとも１つのスプール偏心軸（Ａ３）、及び、スプールカバー（Ａ４）を有するスプール回転系モジュール（Ａ）を含んで構成されるスプールの回転制動機構であって、
スプール（Ａ１）は、２つのフランジ（Ａ１ａ、Ａ１ｂ）とそれらの谷間に相当する糸巻き部（Ａ１ｃ）を有し、
２つのフランジ（Ａ１ａ、Ａ１ｂ）は、糸巻き部（Ａ１ｃ）で巻き取った糸（Ｋ）が脱落するのを防止するための鍔としての機能を有し、
２つのフランジ（Ａ１ａ、Ａ１ｂ）は、それぞれ、半径Ｒの円板形状を有すると共に、スプール偏心軸（Ａ３）を挿通するための少なくとも１つの挿通孔（Ａ１ａｈ、Ａ１ｂｈ）を有し、
挿通孔（Ａ１ａｈ、Ａ１ｂｈ）は、スプールの回転中心（Ｃ）から距離Ｒ’の位置にあり、
挿通孔（Ａ１ａｈ、Ａ１ｂｈ）は、スプール偏心軸（Ａ３）が出入りするための孔であり、
糸巻き部（Ａ１ｃ）は、糸（Ｋ）の最大巻き取り半径として、スプールの回転中心（Ｃ）から半径ｒで巻き取る機能を有し、
糸（Ｋ）は、引張方向（Ｄ）から張力（Ｔ）で引っ張られ、
スプール回転軸（Ａ２）は、回転中心においてスプール（Ａ１）を回転させるための軸としての機能を有し、
スプール偏心軸（Ａ３）は、挿通孔（Ａ１ａｈ、Ａ１ｂｈ）において、糸巻き部（Ａ１ｃ）を跨ぐように挿通することが自在であり、
スプール偏心軸（Ａ３）の２つの状態がある動作モードについては、
制動ＯＦＦ状態である糸繰り出しモード（Ｍ１）では、挿通孔（Ａ１ｃ）から、スプール偏心軸（Ａ３）を抜き、糸巻き部（Ａ１ｃ）から抜き去った状態にであり、
制動ＯＮ状態である瞬間停止モード（Ｍ２）では、挿通孔（Ａ１ｄ）に、スプール偏心軸（Ａ３）を挿入して、糸巻き部（Ａ１ｄ）を跨ぐようにブリッジさせた状態であり、
スプール偏心軸（Ａ３）の極座標における位置は、
距離Ｒ’と偏角θで表され、
距離Ｒ’は、回転中心（Ｃ）からの挿通孔（Ａ１ａｈ、Ａ１ｂｈ）までの距離であり、
偏角θは、スプールの中心（Ｃ）を通る引張方向（Ｄ）の平行線を実軸としたときに、
スプールの中心（Ｃ）と挿通孔（Ａ１ａｈ、Ａ１ｂｈ）を結ぶ直線と実軸がなす角度であり、
距離Ｒ’は、数式（１）を満足する値であって、
スプールの回転制動機構の全体の機能としては、
スプール（Ａ１）の糸（Ｋ）を繰り出している場合において、スプール（Ａ１）の回転を瞬間制動しようとするときには、
スプール偏心軸（Ａ３）を、挿通孔（Ａ１ａｈ、Ａ１ｂｈ）に挿通することにより、
スプール偏心軸（Ａ３）に糸（Ｋ）を引っ掛けて、
スプール偏心軸（Ａ３）について繰り出し回転方向に働く張力（Ｔ）に起因する回転力（Ｒ）に対して、
繰り出し回転方向と逆方向に働く逆回転力（Ｆ）を働かせることにより
偏角θ＝０°の位置においてスプールの回転を即時停止せしめる機能を発揮せしめ、
スプール（Ａ１）の回転の瞬間制動を解除しようとするときには、
挿通孔（Ａ１ａｈ、Ａ１ｂｈ）に挿通していたスプール偏心軸（Ａ３）を、挿通孔（Ａ１ａｈ、Ａ１ｂｈ）から抜き取って、糸巻き部（Ａ１ｃ）から抜き去ることにより、
糸（Ｋ）の引っ掛りをなくすと共に、
スプール偏心軸（Ａ３）に逆回転力（Ｆ）が働かないようにすることにより、
スプールの回転制動を解除せしめる機能を発揮せしめることを特徴とする
スプール（Ａ１）の回転制動機構。
【数１】
0004753127.tif 000004
［請求項２］
請求項１に記載したスプール（Ａ１）の回転制動機構を設けることにより、棚取りの調整を自在とした釣り用スプール。
［請求項３］
スプール（Ａ１）、スプール回転軸（Ａ２）、少なくとも１つのスプール偏心軸（Ａ３）、及び、スプールカバー（Ａ４）を有するスプール回転系モジュール（Ａ）を含んで構成されるスプールの回転制動機構であって、
スプール（Ａ１）は、２つのフランジ（Ａ１ａ、Ａ１ｂ）とそれらの谷間に相当する糸巻き部（Ａ１ｃ）を有し、
２つのフランジ（Ａ１ａ、Ａ１ｂ）は、糸巻き部（Ａ１ｃ）で巻き取った糸（Ｋ）が脱落するのを防止するための鍔としての機能を有し、
２つのフランジ（Ａ１ａ、Ａ１ｂ）は、それぞれ、半径Ｒの円板形状を有すると共に、スプール偏心軸（Ａ３）を挿通するための少なくとも１つの挿通孔（Ａ１ａｈ、Ａ１ｂｈ）を有し、
挿通孔（Ａ１ａｈ、Ａ１ｂｈ）は、スプールの回転中心（Ｃ）から距離Ｒ’の位置にあり、
挿通孔（Ａ１ａｈ、Ａ１ｂｈ）は、スプール偏心軸（Ａ３）が出入りするための孔であり、
糸巻き部（Ａ１ｃ）は、糸（Ｋ）の最大巻き取り半径として、スプールの回転中心（Ｃ）から半径ｒで巻き取る機能を有し、
糸（Ｋ）は、引張方向（Ｄ）から張力（Ｔ）で引っ張られ、
スプール回転軸（Ａ２）は、回転中心においてスプール（Ａ１）を回転させるための軸としての機能を有し、
スプール偏心軸（Ａ３）は、挿通孔（Ａ１ａｈ、Ａ１ｂｈ）において、糸巻き部（Ａ１ｃ）を跨ぐように挿通することが自在であり、
スプール偏心軸（Ａ３）の２つの状態がある動作モードについては、
制動ＯＦＦ状態である糸繰り出しモード（Ｍ１）では、挿通孔（Ａ１ｄ）から、スプール偏心軸（Ａ３）を抜き、糸巻き部（Ａ１ｄ）から抜き去った状態にであり、
制動ＯＮ状態である瞬間停止モード（Ｍ２）では、挿通孔（Ａ１ｄ）に、スプール偏心軸（Ａ３）を挿入して、糸巻き部（Ａ１ｃ）を跨ぐようにブリッジさせた状態であり、
スプール偏心軸（Ａ３）の極座標における位置は、
距離Ｒ’と偏角θで表され、
距離Ｒ’は、回転中心（Ｃ）からの挿通孔（Ａ１ａｈ、Ａ１ｂｈ）までの距離であり、
偏角θは、スプールの中心（Ｃ）を通る引張方向（Ｄ）の平行線を実軸としたときに、
スプールの中心（Ｃ）と挿通孔（Ａ１ａｈ、Ａ１ｂｈ）を結ぶ直線と実軸がなす角度であり、
距離Ｒ’は、数式（１）を満足する値であって、
スプールの回転制動機構の全体の機能としては、
スプール（Ａ１）の糸（Ｋ）を繰り出している場合において、スプール（Ａ１）の回転を瞬間制動しようとするときには、
スプール偏心軸（Ａ３）を、挿通孔（Ａ１ａｈ、Ａ１ｂｈ）に挿通することにより、
スプール偏心軸（Ａ３）に糸（Ｋ）を引っ掛けて、
スプール偏心軸（Ａ３）について繰り出し回転方向に働く張力（Ｔ）に起因する回転力（Ｒ）に対して、
繰り出し回転方向と逆方向に働く逆回転力（Ｆ）を働かせることにより
偏角θ＝０°の位置においてスプールの回転を即時停止せしめる機能を発揮せしめ、
スプール（Ａ１）の回転の瞬間制動を解除しようとするときには、
挿通孔（Ａ１ａｈ、Ａ１ｂｈ）に挿通していたスプール偏心軸（Ａ３）を、挿通孔（Ａ１ａｈ、Ａ１ｂｈ）から抜き取って、糸巻き部（Ａ１ｃ）から抜き去ることにより、
糸（Ｋ）の引っ掛りをなくすと共に、
スプール偏心軸（Ａ３）に逆回転力（Ｆ）が働かないようにすることにより、
スプールの回転制動を解除せしめる機能を発揮せしめることにより
ＯＮモードとＯＦＦモードを切り替えて
棚取りの調整が自在な機能を具備したことを特徴とする釣り用スプール。
【数２】
0004753127.tif 000005
【発明の効果】
【００２８】  本発明に係る釣り用リールは、安定かつ確実にスプール（Ａ１）をフリーにすることができるので、釣り糸（Ｋ）の巻き上げ、巻き下し時の糸絡み（バックラッシュ）を極度に抑制するという画期的な機能を具備し、小型ながら振動や騒音を抑制し、なおかつ手動回転ディスク部（Ａ１ｈ）で棚取りを常に微調整できることを特徴とする釣り用リールである。【００２９】  ここで、『棚』とは、『水面から一定の深さに存在する魚が沢山回遊している層』を意味し、『棚を取る』とは、『水面から一定の深さに存在する魚が沢山回遊している層（棚）に餌を付けた状態の釣り針を安定的に維持する』ことを意味し、『棚取り』とは、『水面から一定の深さに存在する魚が沢山回遊している層（棚）に餌を付けた状態の釣り針を安定的に維持すること』を意味する【００３０】『棚』は、場合により、魚群探知機等により探知することができるが、魚が捕食をするために好適な層であることから、水温、光、水流（海流）、プランクトン等の餌の存在等の因子に影響を受けやすいことから、通常は、繰り出す釣り糸の長さを試行錯誤の中で調整しながら、魚のアタリ（当たり、即ち、釣り針に付いている餌を魚が食べたり、突っついたりして、釣り糸や浮きが浮き沈みすること。）を検知しつつ、最適な水深を探り当てる。【００３１】  本発明に係る釣り用リールを構成するモジュールの名称と番号・記号については、図１〜３、図２１〜２４、図２７〜２８、図３０〜３６、図４１〜４６、図４８等に示した。【００３２】  本発明に係る釣り用リールについては、既存の従来の電動リール製品とは極めて対照的に、スプールカバー（Ａ４）に拡膨部（Ａ１）という独自の新規構造を採用したことにより、糸絡み（バックラッシュ）を極度に抑制することができるという画期的な機能を発揮することができる。
スプールカバー（Ａ４）の拡膨部（Ａ１）は、加工装置として、ＣＡＤ／ＣＡＭシステム、ＮＣ加工システム等を応用することにより、精度（有効数字）を±１０の１乗μｍ〜±１０の２乗μｍ〜±１０の３乗μｍのレベルで制御することが可能である。【００３３】  本発明に係る釣り用リールについては、既存の従来の可動式モーター（Ｃ１）を筐体（Ｅ５）内に維持する構造としてバネを使う製品とは極めて対照的に、弾性体（Ｃ３）を具備した釣り用リールでありガタツキ発生・振動発生を極度に抑制し、末長く使用することができる。【００３４】  本発明に係る釣り用リールは、モーター（Ｃ１）の駆動軸からスプール（Ａ１）への動力伝達効率を極めて高く確実なものとすることにより、小型ながら高度な低振動と静寂性を実現することができる釣り用リールである。【００３５】  本発明に係る釣り用リールは、極めて審美性に優れると共に、その優れた機能（スプールをフリーにする際の糸絡みやバックラッシュ等の問題を極度に解消することができる機能等）に伴う機能美を有する釣り用リールである。【００３６】  本発明に係る釣り用リールは、外観がスタイリッシュなデザインであるために飽きが来ず、さらには優れたユニークな内部構造（モジュールの機構・装置等）から滲み出る使い易さのために手放せなくなり、永年に亘って釣り（フィッシング）を快適に楽しむことができる。【００３７】［発明の効果〜その１］
第１の発明特定事項として、スプール回転系モジュール（Ａ）において、スプールカバー内側に拡膨部（Ａ１）を設けることにより、発明の効果の一つとして、遠心力によってフランジ縁辺部（Ａ１ｇ）のスプール回転軸中心からの半径よりも大きく膨らんだ糸（Ｋ）を、拡膨部（Ａ１）内に誘導して受け容れることにより、糸（Ｋ）の巻き上げ時、及び／又は、繰り出し時における、スプール（Ａ１）とスプールカバー（Ａ４）の隙間（Ｘ）からの糸（Ｋ）のはみ出し、及び／又は、糸（Ｋ）のはみ出しに起因する被駆動面（Ａ１ｆ）と駆動ローラー（Ｃ２）との間における糸（Ｋ）の巻き込みによって発生するスプールカバー内部の糸絡み（バックラッシュ）を顕著に抑制するという発明の効果を奏する。【００３８】［発明の効果〜その２］
第２の発明特定事項として、スプールカバー縁辺部（Ａ４ｇ）とフランジ縁辺部（Ａ１ｇ）との隙間（Ｘ）の幅（Ｘ１）を、使用する（Ｋ）の直径の５倍以下の長さとする発明特定事項を具備せしめることにより、発明の効果の一つとして、糸（Ｋ）の巻き上げ時、及び／又は、繰り出し時における、スプールカバー縁辺部（Ａ４ｇ）とフランジ縁辺部（Ａ１ｇ）との隙間（Ｘ）からの糸（Ｋ）のはみ出し、並びに、スプールカバー縁辺部（Ａ４ｇ）とフランジ縁辺部（Ａ１ｇ）との隙間（Ｘ）からの糸（Ｋ）のはみ出しに起因するスプールカバー内部の糸絡み（バックラッシュ）を顕著に抑制するという機能を奏するという発明の効果を奏する。【００３９】［発明の効果〜その３］
第３の発明特定事項として、クラッチレバー（Ｂ１）をＯＮとしたクラッチＯＮ状態においては、モーター（Ｃ１）を、相互に反対方向に働く２つの力である、弾性体（Ｃ３）の弾性力、及び、被駆動面（Ａ１ｆ）の押圧力によって、駆動ローラー圧接位置で安定的に位置を維持し、クラッチレバー（Ｂ１）をＯＦＦとしたクラッチＯＦＦ状態においては、モーター（Ｃ１）を、相互に反対方向に働く２つの力である、弾性体（Ｃ３）の弾性力、及び、クラッチレバー（Ｂ１）の押圧力によって、駆動ローラー離脱位置で安定的に位置を維持することにより、発明の効果の一つとして、クラッチＯＮ状態、及び／又は、クラッチＯＦＦ状態において、モーター（Ｃ１）を安定な位置に維持せしめることにより、スプール（Ａ１）、及び／又は、モーター（Ｃ１）の回転に起因する筐体内部における振動を顕著に抑制すると共に、動力系モジュール（Ｃ）、スプール回転系モジュール（Ａ）の耐用期間を顕著に延長するという発明の効果を奏する。【００４０】［発明の効果〜その４］
第４の発明特定事項として、フランジ（Ａ１ａ）の上面に手動回転ディスク（Ａ１ｈ）を設けることにより、スプールの回転を手動により微調整することにより、常に棚取りの微調整ができるという発明の効果を奏する。【００４１】［発明の効果〜その５］
第５の発明特定事項として、被駆動面（Ａ１ｆ）表面において、被駆動面（Ａ１ｆ）の深さ方向については、表面から深さ方向に向けて孔を穿ち、被駆動面（Ａ１ｆ）の平面方向については、被駆動面（Ａ１ｆ）表面の円周方向、放射線方向、又は、渦巻き状に複数穿つことにより、孔を介して被駆動面（Ａ１ｆ）表面上の水及び／又は油を排除するという機能と、孔に起因する摩擦抵抗により、被駆動面（Ａ１ｆ）表面上における駆動ローラー（Ｃ２）のスリップを抑制するという機能を奏することができるという発明の効果を奏する。【００４２】［発明の効果〜その６］
第８の発明特定事項として、被駆動面（Ａ１ｆ）の被駆動面（Ａ１ｆ）表面において、被駆動面（Ａ１ｆ）の深さ方向については、被駆動面（Ａ１ｆ）表面から反対側の側面に向けて、被駆動面（Ａ１ｆ）の平面方向については、被駆動面（Ａ１ｆ）表面の円周方向、放射線方向、又は、渦巻き状に複数穿つという発明特定事項を具備せしめることにより、発明の効果の一つとして、孔を介して被駆動面（Ａ１ｆ）表面上の水及び／又は油を排除するという発明の効果と、孔に起因する摩擦抵抗により、被駆動面（Ａ１ｆ）表面上における駆動ローラー（Ｃ２）のスリップを抑制するという発明の効果を奏する。【００４３】［発明の効果〜その７］
第９の発明特定事項として、被駆動面（Ａ１ｆ）の被駆動面（Ａ１ｆ）において、被駆動面（Ａ１ｆ）の平面方向について、放射状及び／又は渦巻き状の溝を複数穿つという発明特定事項を具備せしめることにより、発明の効果の一つとして、被駆動面（Ａ１ｆ）表面上に穿った溝を介して被駆動面（Ａ１ｆ）表面上の水及び／又は油を遠心力により排除するという発明の効果と、溝に起因する摩擦抵抗により、被駆動面（Ａ１ｆ）表面上における駆動ローラー（Ｃ２）のスリップを抑制するという発明の効果を奏する。【００４４】［発明の効果〜その８］
発明の効果の一つは、快適な釣りを長期間楽しむための機能とデザインに卓越した魚釣り用リール巻き取り駆動機構、魚釣り用リール巻き取り駆動装置、デザインなどを提供することである。
【発明を実施するための形態】
【００４５】  本願発明に係る釣り用リールを実施するための最良の形態を以下に記す。
【００４６】  実施例として、本願発明に係る釣り用リールの最も好ましい形態を、図１〜図８に示した。
【００４７】  図１は、スプールの回転制動機構における各モードの説明図である。
糸繰り出しモード（Ｍ１）は、スプール偏心軸（Ａ３）をフランジ（Ａ１ａ、Ａ１ｂ）に設けてある挿通孔（Ａ１ａｈ、Ａ１ｂｈ）から抜去しておくことにより、スプール（Ａ１）の自由回転を許容して、糸（Ｋ）を繰り出すモードである。
瞬間停止モード（Ｍ２）は、糸（Ｋ）の所望の繰り出し長（Ｌｏ）において、フランジ（Ａ１ａ、Ａ１ｂ）に設けてある挿通孔（Ａ１ａｈ、Ａ１ｂｈ）に、スプール偏心軸（Ａ３）を挿通することにより、スプール（Ａ１）の自由回転を瞬間的に停止せしめ、糸（Ｋ）の所望の繰り出し長（Ｌｏ）として固定するモードである。
巻き上げモード（Ｍ３）は、フランジ（Ａ１ａ、Ａ１ｂ）に設けてある挿通孔（Ａ１ａｈ、Ａ１ｂｈ）にスプール偏心軸（Ａ３）を挿通したまま、繰り出し回転方向（順方向）、又は、巻き上げ方向（逆方向）に、糸（Ｋ）の所望の繰り出し長（Ｌｏ）を始点として、電動により又は手動により、糸（Ｋ）を繰り出したり、巻き上げたりするモードである。
【００４８】  図２は、本出願の「特許請求の範囲」、「明細書」、及び、「図面」において使用する用語「抜去」と用語「挿通」の概念の説明図である。
用語「抜去」は、フランジ（Ａ１ａ、Ａ１ｂ）に設けてある挿通孔（Ａ１ａｈ、Ａ１ｂｈ）から、スプール偏心軸（Ａ３）を抜き取って、糸巻き部（Ａ１ｃ）から抜き去った状態にする操作を意味する概念である。
用語「挿通」は、フランジ（Ａ１ａ、Ａ１ｂ）に設けてある挿通孔（Ａ１ａｈ、Ａ１ｂｈ）に、スプール偏心軸（Ａ３）を挿入して、糸巻き部（Ａ１ｃ）を跨ぐようにブリッジさせた状態にする操作を意味する概念である。
【００４９】  図３は、スプール回転の瞬間制動に至る過渡的状態を示す説明図である。特に、「瞬間制動」の現象を図解した説明図である。
自由回転状態（Ａ）では、ピン（スプール偏心軸（Ａ３））を上げた状態であり、スプール（Ａ１）の自由回転により、糸（Ｋ）が繰り出される。
瞬間制動操作時（Ｂ）では、ピン（スプール偏心軸（Ａ３））を下げた状態であり、ブレーキ操作を稼働させた状態である。
瞬間制動完了時（Ｃ）では、ピン（スプール偏心軸（Ａ３））を下げた状態であり、ブレーキが完全に効いた状態である。
瞬間制動操作時（Ｂ）から瞬間制動完了時（Ｃ）に至る過程は、ブレーキ操作を稼働させてから、完全にブレーキが効いた状態に至る過渡的状態である。
【００５０】  図４は、スプール回転の瞬間制動に至る過渡的状態を示す説明図である。特に、「瞬間制動」のメカニズムと効果を力学に基づいて図解した説明図である。
（Ａ）偏角θ＝９０°；モーメントτが最大の状態である。
逆回転力（Ｆ）は、回転力（ｆ）よりも大きく、スプール（Ａ１）は、繰り出し回転方向とは、逆の方向に回転する。
（Ｂ）偏角θ＝４５°；モーメントτが最大値の５０％の状態である。
逆回転力（Ｆ）は、回転力（ｆ）よりも大きく、スプール（Ａ１）は、繰り出し回転方向とは、逆の方向に回転する。
（Ｃ）偏角θ＝０°：モーメントτが０の状態である。
逆回転力（Ｆ）も、回転力（ｆ）も０となり、スプール（Ａ１）は、回転を停止する。
【００５１】
【数１】
0004753127.tif 000006
【００５２】  図５は、スプール回転制動機構を構成する部品の斜視図である。
【００５３】  図６は、スプール回転制動機構を構成する部品の斜視図である。
【００５４】  図７は、スプール回転制動機構を構成する部品の組み立て工程を示した説明図である。
（イ）挿通孔（Ａ１ａｈ、Ａ１ｂｈ）に、スプール偏心軸（Ａ３）を挿通する準備をしている工程である。
（ロ）挿通孔（Ａ１ａｈ、Ａ１ｂｈ）に、スプール偏心軸（Ａ３）を挿通しつつある工程である。
（ハ）挿通孔（Ａ１ａｈ、Ａ１ｂｈ）に、スプール偏心軸（Ａ３）を挿通する作業を完了したスプール（Ａ１）を、スプールカバー（Ａ４）に嵌合する準備をしている工程である。
（ニ）挿通孔（Ａ１ａｈ、Ａ１ｂｈ）に、スプール偏心軸（Ａ３）を挿通する作業を完了したスプール（Ａ１）を、スプールカバー（Ａ４）に嵌合しつつある工程である。
挿通孔（Ａ１ａｈ、Ａ１ｂｈ）に挿通されたスプール偏心軸（Ａ３）は、挿通／抜去自在である。
【００５５】  図８は、スプール回転制動機構における２つのモードを示した説明図である。
（イ）制動ＯＦＦモード；スプール偏心軸（Ａ３）が抜去された状態である。
（ロ）制動ＯＮモード；スプール偏心軸（Ａ３）が挿通された状態である。
スプール（Ａ１）の糸（Ｋ）を繰り出している場合において、スプール（Ａ１）の回転を瞬間制動しようとするときには、制動ＯＦＦモードから、制動ＯＮモードに、瞬時に切り替えて、スプール偏心軸（Ａ３）を、挿通孔（Ａ１ａｈ、Ａ１ｂｈ）に挿通することにより、スプール偏心軸（Ａ３）に糸（Ｋ）を引っ掛けて、スプール偏心輔（Ａ３）について繰り出し回転方向に働く張力（Ｔ）に起因する回転力（Ｒ）に対して、繰り出し回転方向と逆方向に働く逆回転力（Ｆ）を働かせることにより、偏角θ＝０°の位置においてスプールの回転を即時停止せしめる。
【００５６】  本願発明に係る釣り用リールにおいて使用するスプール（Ａ１）は、ＮＣ旋盤、汎用旋盤、小型旋盤、マシニングセンター、数値制御装置と結合しているＮＣフライス盤等によって加工することができる。
また、本願発明に係る釣り用リールにおいて使用するスプール（Ａ１）は、レーザー加工機、プレス板金加工、プラスチック金型加工等によっても形成することができる。
【００５７】  スプール（Ａ１）の加工方法は、特に限定されるものではないが、一般的には、ＣＡＤデータに基づきスプール（Ａ１）形状を数値的に解析し、その数値データから得たプログラムデータをＮＣフライス盤に入力することによって、スプール（Ａ１）を形成することができ、穴、溝の数、大きさ、配置については入力データを変更するだけで、多種多様なスプール（Ａ１）を容易に製造することができる。
【００５８】  ＮＣ旋盤、小型旋盤、マシニングセンター、数値制御装置と結合しているＮＣフライス盤等には、予め設定した所望の三次元立体形状のスプール（Ａ１）の形状を入力しておく。
【００５９】  この入力された情報に基づいてスプール（Ａ１）の切削を行なう。
この場合、スプール（Ａ１）の切削と、同時に又は別個に、被駆動面（Ａ１ｆ）の切削加工についても、スプール（Ａ１）の切削の場合と同様に、被駆動面（Ａ１ｆ）の表面に孔あけ切削、溝加工を行なうことができる。
【００６０】  孔あけ切削、溝加工を行なうことにより、排水効果、グリップ効果（駆動ローラーと孔又は溝を表面に有する被駆動面との間でのスリップのない駆動効果）を発揮することができる。
【００６１】  ＮＣ旋盤、小型旋盤、マシニングセンター、数値制御装置と結合しているＮＣフライス盤等を用いて、スプール（Ａ１）を直接加工するため、１回の加工で成形品が出来上がるため、製造工程時における誤差が発生し難く、精度の高い製品を安定して生産することができ、その製造工程も簡略化される。
【００６２】  スプール（Ａ１）、スプールカバー（Ａ４）等、本発明に係る釣り用リール全般について、アルマイトや無電解ニッケルメッキ等の硬度を高めるための表面処理を施したり、焼き付け塗装・吹き付け塗装等を施すことにより、回転部、スライド部、移動部等のモジュール・部品・素材の摩耗・消耗・かじり等を抑制することができると共に、美的外観を維持し、良好な機構状態を維持し、且つ、汚れ難く長期間の使用を可能とすることができる。
【００６３】  被駆動面（Ａ１ｆ）と駆動ローラー（Ｃ２）には、魚が掛かった際の巻き上げ時に、水滴等の液体がかかることが不可避である。
【００６４】  水滴等の液体がかかった場合に、被駆動面（Ａ１ｆ）の表面が、旋盤加工のみによる均一な平面であると、被駆動面（Ａ１ｆ）と駆動ローラー（Ｃ２）との間のグリップ性能が極端に悪化し、回転駆動性能が極端に低下してしまう問題が発生する場合がある。極端に悪化することから回転性能が低下するという問題があった。
【００６５】  この場合も、スプール（Ａ１）の切削と、同時に又は別個に、被駆動面（Ａ１ｆ）の表面に孔あけ切削、溝加工を行なうことができる。
【００６６】  孔あけ切削、溝加工を行なうことにより、排水効果、グリップ効果（駆動ローラーと孔又は溝を表面に有する駆動面との間でのスリップのない駆動効果）を発揮することができる。
【００６７】  被駆動面（Ａ１ｆ）の加工方法は、特に限定されるものではないが、一般的には、ＣＡＤデータに基づき被駆動面（Ａ１ｆ）形状を数値的に解析し、その数値データから得たプログラムデータをＮＣフライス盤に入力することによって、被駆動面（Ａ１ｆ）を形成することができ、穴、溝の数、大きさ、配置については入力データを変更するだけで、多種多様な被駆動面（Ａ１ｆ）を容易に製造することができる。
【００６８】  バリ取りに関してもデータの初期入力で対応することができるため、一工程で被駆動面（Ａ１ｆ）の仕上げが可能となり、精度の高い製品を容易に得ることが可能である。
【００６９】  なお、上述した切削加工によれば、従来の押圧面（被駆動面）に加工することにより発明効果〜その５、その６、その７を可能とすることができる。
【００７０】  モーター（Ｃ１）の外径については、筐体（Ｅ５）のパイプの内径に対して小さいものとする。
【００７１】  駆動ローラー（Ｃ２）の両側には、軟体性ゴムやＯリングなどを装着し、一つはクラッチＯＮ／ＯＦＦのためのクラッチレバー（Ｂ１）移動手段であり、他の一つは被駆動面（Ａ１ｆ）を押圧することによりスプール（Ａ１）の回転手段となる。
クラッチレバー（Ｂ１）の側面の投影断面は、四角形等の多角形をしているので、クラッチレバー（Ｂ１）自身は、クラッチブロック（Ｂ２）に対して回転することはないが、クラッチレバー（Ｂ１）は、駆動ローラ（Ｃ２）のシャフト（軸）の軸受けの機能もあるので、クラッチレバー（Ｂ１）がクラッチブロック（Ｂ２）に対して回転することはない一方において、駆動ローラ（Ｃ２）は軸受けたるクラッチレバー（Ｂ１）に対して極めて円滑に回転することができる。
【００７２】  スプール（Ａ１）が回転中（巻き上げ）において、クラッチレバー（Ｂ１）が動かないように、クラッチレバー（Ｂ１）を組み立て終了後に熱による変形や工具などによる変形により、割り溝（Ｂ１ａ）を広げる事で、スライド幅（Ｂ１ｆ）がテーパー形状となりスプール（Ａ１）電動回転する際のクラッチレバー（Ｂ１）が所定の位置に移動した際、テーパーとクラッチブロック（Ｂ２）の溝が食い込む形となり、クラッチレバー（Ｂ１）が所定の位置から動きにくい状態となる。
【００７３】  スプール（Ａ１）をフリー（自由回転状態）にする際には、クラッチレバー（Ｂ１）をスライドさせ駆動ローラー（Ｃ２）とクラッチブロック（Ｂ２）との間に入れ押し下げることにより、駆動ローラー（Ｃ２）を被駆動面（Ａ１ｆ）から離す。
【００７４】  また、スプール（Ａ１）を駆動状態にする際には、クラッチレバー（Ｂ１）を反対方向に移動させて、クラッチ軸の溝（４０）に駆動ローラー（Ｃ２）を上げることにより、駆動ローラー（Ｃ２）を被駆動面（Ａ１ｆ）に押圧する。
【００７５】  本発明に係る釣り用リールの素材は、特に限定されるものではないが、一般的には、金属材料、プラスチック材料等が好ましく用いられ、より好ましくは、アルミニウム、真鍮、ステンレススチール（ＳＵＳ）、チタン、チタン合金、銅合金、樹脂、プラスチック等、又、前記の材料に限定されること無く各種の材料を用いることができる。
【００７６】  本発明に係る釣り用リールの素材は、特に限定されるものではないが、一般的には、軽量化、小型化を図ることを目的として、比重の軽い素材を使うことが望ましい。
また、グリップ部分には熱収縮性のグリップや軟体性のゴムもしくは、発泡ゴム及びコルク材などを使うことが望ましい。
【００７７】  本発明に係る釣り用リールの穂先取り付けジョイント（Ｅ１）は、穂先の製造会社毎に、その会社のシャンク径規格に合わせることができる。
【図面の簡単な説明】
【００７８】
【図１】スプールの回転制動機構における各モードの説明図である。糸繰り出しモード（Ｍ１）は、スプール偏心軸（Ａ３）をフランジ（Ａ１ａ、Ａ１ｂ）に設けてある挿通孔（Ａ１ａｈ、Ａ１ｂｈ）から抜去しておくことにより、スプール（Ａ１）の自由回転を許容して、糸（Ｋ）を繰り出すモードである。瞬間停止モード（Ｍ２）は、糸（Ｋ）の所望の繰り出し長（Ｌｏ）において、フランジ（Ａ１ａ、Ａ１ｂ）に設けてある挿通孔（Ａ１ａｈ、Ａ１ｂｈ）に、スプール偏心軸（Ａ３）を挿通することにより、スプール（Ａ１）の自由回転を瞬間的に停止せしめ、糸（Ｋ）の所望の繰り出し長（Ｌｏ）として固定するモードである。巻き上げモード（Ｍ３）は、フランジ（Ａ１ａ、Ａ１ｂ）に設けてある挿通孔（Ａ１ａｈ、Ａ１ｂｈ）にスプール偏心軸（Ａ３）を挿通したまま、繰り出し回転方向（順方向）、又は、巻き上げ方向（逆方向）に、糸（Ｋ）の所望の繰り出し長（Ｌｏ）を始点として、電動により又は手動により、糸（Ｋ）を繰り出したり、巻き上げたりするモードである。
【図２】本出願の「特許請求の範囲」、「明細書」、及び、「図面」において使用する用語「抜去」と用語「挿通」の概念の説明図である。用語「抜去」は、フランジ（Ａ１ａ、Ａ１ｂ）に設けてある挿通孔（Ａ１ａｈ、Ａ１ｂｈ）から、スプール偏心軸（Ａ３）を抜き取って、糸巻き部（Ａ１ｃ）から抜き去った状態にする操作を意味する概念である。用語「挿通」は、フランジ（Ａ１ａ、Ａ１ｂ）に設けてある挿通孔（Ａ１ａｈ、Ａ１ｂｈ）に、スプール偏心軸（Ａ３）を挿入して、糸巻き部（Ａ１ｃ）を跨ぐようにブリッジさせた状態にする操作を意味する概念である。
【図３】スプール回転の瞬間制動に至る過渡的状態を示す説明図である。特に、「瞬間制動」の現象を図解した説明図である。自由回転状態（Ａ）では、ピン（スプール偏心軸（Ａ３））を上げた状態であり、スプール（Ａ１）の自由回転により、糸（Ｋ）が繰り出される。瞬間制動操作時（Ｂ）では、ピン（スプール偏心軸（Ａ３））を下げた状態であり、ブレーキ操作を稼働させた状態である。瞬間制動完了時（Ｃ）では、ピン（スプール偏心軸（Ａ３））を下げた状態であり、ブレーキが完全に効いた状態である。瞬間制動操作時（Ｂ）から瞬間制動完了時（Ｃ）に至る過程は、ブレーキ操作を稼働させてから、完全にブレーキが効いた状態に至る過渡的状態である。
【図４】スプール回転の瞬間制動に至る過渡的状態を示す説明図である。特に、「瞬間制動」のメカニズムと効果を力学に基づいて図解した説明図である。（Ａ）偏角θ＝９０°；モーメントτが最大の状態である。逆回転力（Ｆ）は、回転力（ｆ）よりも大きく、スプール（Ａ１）は、繰り出し回転方向とは、逆の方向に回転する。（Ｂ）偏角θ＝４５°；モーメントτが最大値の５０％の状態である。逆回転力（Ｆ）は、回転力（ｆ）よりも大きく、スプール（Ａ１）は、繰り出し回転方向とは、逆の方向に回転する。（Ｃ）偏角θ＝０°：モーメントτが０の状態である。逆回転力（Ｆ）も、回転力（ｆ）も０となり、スプール（Ａ１）は、回転を停止する。
【図５】スプール回転制動機構を構成する部品の斜視図である。
【図６】スプール回転制動機構を構成する部品の斜視図である。
【図７】スプール回転制動機構を構成する部品の組み立て工程を示した説明図である。（イ）挿通孔（Ａ１ａｈ、Ａ１ｂｈ）に、スプール偏心軸（Ａ３）を挿通する準備をしている工程である。（ロ）挿通孔（Ａ１ａｈ、Ａ１ｂｈ）に、スプール偏心軸（Ａ３）を挿通しつつある工程である。（ハ）挿通孔（Ａ１ａｈ、Ａ１ｂｈ）に、スプール偏心軸（Ａ３）を挿通する作業を完了したスプール（Ａ１）を、スプールカバー（Ａ４）に嵌合する準備をしている工程である。（ニ）挿通孔（Ａ１ａｈ、Ａ１ｂｈ）に、スプール偏心軸（Ａ３）を挿通する作業を完了したスプール（Ａ１）を、スプールカバー（Ａ４）に嵌合しつつある工程である。挿通孔（Ａ１ａｈ、Ａ１ｂｈ）に挿通されたスプール偏心軸（Ａ３）は、挿通／抜去自在である。
【図８】スプール回転制動機構における２つのモードを示した説明図である。（イ）制動ＯＦＦモード；スプール偏心軸（Ａ３）が抜去された状態である。（ロ）制動ＯＮモード；スプール偏心軸（Ａ３）が挿通された状態である。スプール（Ａ１）の糸（Ｋ）を繰り出している場合において、スプール（Ａ１）の回転を瞬間制動しようとするときには、制動ＯＦＦモードから、制動ＯＮモードに、瞬時に切り替えて、スプール偏心軸（Ａ３）を、挿通孔（Ａ１ａｈ、Ａ１ｂｈ）に挿通することにより、スプール偏心軸（Ａ３）に糸（Ｋ）を引っ掛けて、スプール偏心軸（Ａ３）について繰り出し回転方向に働く張力（Ｔ）に起因する回転力（Ｒ）に対して、繰り出し回転方向と逆方向に働く逆回転力（Ｆ）を働かせることにより、偏角θ＝０°の位置においてスプールの回転を即時停止せしめる。
【符号の説明】
【００７９】Ａ        スプール回転系モジュール
Ａ１      スプール
Ａ１ａ    フランジ
Ａ１ｂ    フランジ
Ａ１ａｈ  挿通孔
Ａ１ｂｈ  挿通孔
Ａ１ｃ    糸巻き部
Ａ２      スプール回転軸
Ａ３      スプール偏心軸
Ａ４      スプールカバー
Ｋ        糸【００８０】Ｍ１      スプール偏心軸（Ａ３）の少なくとも２つの状態がある動作モードのうち、制動ＯＦＦ状態である糸繰り出しモード。
Ｍ２      スプール偏心軸（Ａ３）の少なくとも２つの状態がある動作モードのうち、制動ＯＮ状態である瞬間停止モード。【００８１】Ｒ        円盤形状を有するフランジのフランジ（Ａ１ａ、Ａ１ｂ）の半径。
Ｒ’      挿通孔（Ａ１ａｈ、Ａ１ｂｈ）のスプールの回転中心（Ｃ）から距離。
θ        スプール偏心軸（Ａ３）の極座標における位置を示す偏角。
すなわち、スプールの中心（Ｃ）を通る引張方向（Ｄ）の平行線を実軸としたときに、スプールの中心（Ｃ）と挿通孔（Ａ１ａｈ、Ａ１ｂｈ）を結ぶ直線と実軸がなす角度。
ｒ        糸巻き部（Ａ１ｃ）がスプールの回転中心（Ｃ）を中心として糸（Ｋ）を巻き取る際の最大巻き取り半径。【００８２】ｆ        回転力、すなわち、スプール（Ａ１）から糸（Ｋ）を繰り出す際に、スプール偏心軸（Ａ３）にかかる回転力
Ｄ        糸（Ｋ）の引張方向（Ｄ）。
Ｔ        糸（Ｋ）の張力。
Ｆ        逆回転力、即ち、糸（Ｋ）の張力（Ｔ）のスプール偏心軸（Ａ３）における接線方向のベクトル成分。
Ｅ        逆回転力に寄与しない力、即ち、糸（Ｋ）の張力（Ｔ）のスプール偏心軸（Ａ３）における法線方向のベクトル成分
τ        スプール偏心軸（Ａ３）における張力（Ｔ）に基づくモーメント。
【要約】      （修正有）【課題】スプールカバーで覆われていないスプールを有する従来の釣り用リールにおいて頻発する、スプールからの釣り糸のはみ出しに起因する糸絡み（バックラッシュ）の解消装置を提供する。【解決手段】駆動ローラーの回転により、スプールＡ１の被駆動面を、スプール回転軸Ａ２を中心として回転させることにより、スプールＡ１全体を回転させる釣り用リールにおいて、スプールカバー内側に拡膨部を設ける。【選択図】図７【図７】
0004753127.tif 000010
【図１】
0004753127.tif 000011
【図２】
0004753127.tif 000012
【図３】
0004753127.tif 000013
【図４】
0004753127.tif 000014
【図５】
0004753127.tif 000015
【図６】
0004753127.tif 000016
【図８】
0004753127.tif 000017